(57)【特許請求の範囲】
【請求項１】
熱湯を吐出する出湯管と、浄水を吐出する浄水管と、熱湯の吐出を指示する熱湯吐出用操作ボタンと、浄水の吐出を指示する浄水吐出用操作ボタンとを備え、前記出湯管を手前に、前記浄水管を前記出湯管より後ろに配置し、前記出湯管と前記浄水管の間でかつ前記出湯管側に前記熱湯吐出用操作ボタンを、前記浄水管側に前記浄水吐出用操作ボタンを前記出湯管及び前記浄水管と共に一列に配置した水栓金具。
【発明の詳細な説明】
【０００１】
【発明が属する技術分野】
本発明は、熱湯と浄水が使用できる水栓金具に関するものである。
【０００２】
【従来の技術】
図５は従来の水洗金具の構成を示す斜視図である。水栓金具１は、キッチンの天面４の上に設けており、キッチンのシンクの下部に配置している図示していない浄水器に接続している。水洗金具１は、浄水吐出用操作ボタン３を備えており、使用者が浄水吐出用操作ボタン３を操作すると浄水管２から浄水が吐出される。こうして使用者は浄水管２から得られた浄水を使用して、湯沸かしや調理を行えるものである。
【０００３】
【発明が解決しようとする課題】
しかし前記従来の水栓金具は、熱湯と浄水とを共に得ることはできないという課題を有している。
【０００４】
【課題を解決するための手段】
本発明は、熱湯を吐出する出湯管と、浄水を吐出する浄水管と、熱湯の吐出を指示する熱湯吐出用操作ボタンと、浄水の吐出を指示する浄水吐出用操作ボタンとを備え、前記出湯管を手前に、前記浄水管を前記出湯管より後ろに配置し、前記出湯管と前記浄水管の間でかつ前記出湯管側に前記熱湯吐出用操作ボタンを、前記浄水管側に前記浄水吐出用操作ボタンを前記出湯管及び前記浄水管と共に一列に配置するようにして、使用者が火傷を負うおそれのない状態で、熱湯と浄水とを共に使用できるようにした水栓金具としている。
【０００５】
また、設置に要する横幅を小さくすることができ、他の水栓金具と併設しやすくなり、施工が容易となる水栓金具としている。
【０００６】
【発明の実施の形態】
請求項１に記載した発明は、熱湯を吐出する出湯管と、浄水を吐出する浄水管と、熱湯の吐出を指示する熱湯吐出用操作ボタンと、浄水の吐出を指示する浄水吐出用操作ボタンとを備え、前記出湯管を手前に、前記浄水管を前記出湯管より後ろに配置し、前記出湯管と前記浄水管の間でかつ前記出湯管側に前記熱湯吐出用操作ボタンを、前記浄水管側に前記浄水吐出用操作ボタンを前記出湯管及び前記浄水管と共に一列に配置するようにして、使用者が火傷を負うおそれのない状態で、熱湯と浄水とを共に使用できるようにした水栓金具としている。
【０００７】
また、設置に要する横幅を小さくすることができ、他の水栓金具と併設しやすくなり、施工が容易となる水栓金具としている。
【０００８】
【実施例】
（参考例１）
以下本発明の第１の参考例について説明する。図１は本参考例の構成を示す斜視図である。本参考例では、水栓金具１は、浄水管２と、出湯管５と、熱湯の吐出を指示する熱湯吐出用操作ボタン３と、浄水の吐出を指示する浄水吐出用操作ボタン６とを備えている。浄水管２は、図示していない浄水装置に接続しており、前記浄水吐出用操作ボタン３を押すと、例えば図示していないポンプが動作して前記浄水装置によって得た浄水が浄水管２から吐出されるものである。
【０００９】
また、出湯管５は図示していない給湯装置等に接続しており、熱湯吐出用操作ボタン６を押すと、前記給湯装置が供給する熱湯が出湯管５から出湯される。このとき、前記給湯装置が供給する熱湯は浄水装置によって得た浄水を熱湯としてものでも良いし、浄水装置を経由していない水を熱湯としたものでも良いし、あるいは前記両方を使い分けるようにしても良いものである。
【００１０】
このとき本参考例では、出湯管５は熱湯吐出用操作ボタン６の前に配置しており、浄水管２は浄水吐出用操作ボタン３の前に配置している。すなわち、使用者が熱湯吐出用操作ボタン６を押すと、熱湯が熱湯吐出用操作ボタン６の前方の出湯管５から排出されるものである。また、使用者が浄水吐出用操作ボタン３を押すと、浄水が浄水吐出用操作ボタン３の前方に配置している浄水管２から排出されるものである。
【００１１】
すなわち、特に、熱湯を使用するときに、出湯管５が熱湯吐出用操作ボタン６の前方に配置されているため、使用者が吐出された熱湯によって火傷を負ったりする可能性がないものである。
【００１２】
また、熱湯吐出用操作ボタン６の前方には出湯管５を配置しており、浄水吐出用操作ボタン３の前方には浄水管２が配置されているため、直感に従った操作ができ操作誤りが発生することがないものとなっている。
【００１３】
以上のように本参考例によれば、浄水と熱湯とを共に使用でき、特に熱湯を使用するときには火傷を負う可能性のない安全な、また使用誤りのない水栓金具を実現しているものである。
【００１４】
（実施例１）
次に本発明の第１の実施例について説明する。図２は本実施例の構成を示す斜視図である。本実施例では、出湯管５と浄水管２とは前後に配置し、熱湯吐出用操作ボタン６と浄水吐出用操作ボタン３は出湯管５と浄水管２の間に配置している。このとき、出湯管５側には熱湯吐出用操作ボタン６を、浄水管２側には浄水吐出用操作ボタン３を配置している。
【００１５】
以上の構成で、熱湯吐出用操作ボタン６を操作すれば、熱湯吐出用操作ボタン６に隣接している出湯管５から熱湯が供給される。また浄水吐出用操作ボタン３を操作すれば、浄水吐出用操作ボタン３に隣接している浄水管２から浄水が供給される。
【００１６】
すなわち、使用者にとって直感的にわかりやすい操作が可能で、操作誤りのない水栓金具を実現している。また、浄水管２と出湯管５と浄水吐出用操作ボタン３と熱湯吐出用操作ボタン６とを一列に配置しているため、水栓金具の横幅を小さくでき設置に要するスペースを節約できる。従って、他の水栓金具と併設しやすく、また施工が容易となるものである。
【００１７】
以上のように本実施例によれば、使用者にとって直感的にわかりやすい操作が可能となるだけでなく、設置に要する横幅を小さくすることができ、他の水栓金具と併設しやすくなり、施工が容易な水栓金具を実現できるものである。
【００１８】
（実施例２）
次に本発明の第２の実施例について説明する。図３は本実施例の構成を示す斜視図である。本実施例では、電気温水器や給湯器等の貯湯量を示す貯湯量表示手段７を使用している。貯湯量表示手段７は、液晶や、ＬＥＤが使用できる。貯湯量表示手段７は、図示していないマイコン等の制御装置で駆動されるものであり、例えば前記マイコンは電気温水器や給湯器等の内部に設けているフロートあるいは発光素子と受光素子等を使用した水位計の信号を受けているものである。
【００１９】
以上のように本実施例では、貯湯量表示手段７を使用しているため、電気温水器や給湯器等の貯湯量を容易に把握でき、利便性の高い水栓金具を実現できるものである。
【００２０】
（実施例３）
次に本発明の第３の実施例について説明する。図４は本実施例の構成を示す斜視図である。本実施例では、電気温水器や給湯器の出湯温度あるいは貯湯温度を示す湯温表示手段８を使用している。湯温表示手段８としては、液晶やＬＥＤが使用できる。また、湯温表示手段８は、マイコン等の制御装置の信号によって駆動されており、前記マイコン等の制御装置には、電気温水器や給湯器に設けているサーミスタ等の温度検知手段の信号が伝達されているものである。
【００２１】
以上のように本実施例によれば、電気温水器や給湯器の出湯温度あるいは貯湯温度を簡単に知ることができ、利便性を高めた水栓金具を実現できるものである。
【００２２】
【発明の効果】
請求項１に記載した発明は、熱湯を吐出する出湯管と、浄水を吐出する浄水管と、熱湯の吐出を指示する熱湯吐出用操作ボタンと、浄水の吐出を指示する浄水吐出用操作ボタンとを備え、前記出湯管を手前に前記浄水管を前記出湯管より後ろに配置し、前記出湯管と浄水管の間でかつ前記出湯管側に前記熱湯吐出用操作ボタンを、前記浄水管側に前記浄水吐出用操作ボタンを前記出湯管及び前記浄水管と共に一列に配置した構成として、使用者にとって直感的にわかりやすい操作が可能となるだけでなく、設置に要する横幅を小さくすることができ、他の水栓金具と併設しやすくなり、施工が容易な水栓金具を実現できる
ものである。
【図面の簡単な説明】
【図１】  本発明の第１の参考例である水栓金具の構成を示す斜視図
【図２】  本発明の第１の実施例である水栓金具の構成を示す斜視図
【図３】  本発明の第２の実施例である水栓金具の構成を示す斜視図
【図４】  本発明の第３の実施例である水栓金具の構成を示す斜視図
【図５】  従来の水栓金具の構成を示す斜視図
【符号の説明】
１  水栓金具
２  浄水管
３  浄水吐出用操作用ボタン
４  キッチン天面
５  出湯管
６  熱湯吐出用操作ボタン
７  貯湯量表示手段
８  湯温表示手段
【図１】
0004599667.tif 000002
【図２】
0004599667.tif 000003
【図３】
0004599667.tif 000004
【図４】
0004599667.tif 000005
【図５】
0004599667.tif 000006